(57)【要約】【課題】誤配防止と個人情報保護の両立を図ること。【解決手段】ラベル３０と剥離紙４０を貼り合わせ、ラベル３０のみをカットした切り取り線１１を介して隠蔽領域部１２と開示領域部１３を分離可能に連接した検針票１０とする。そして、隠蔽領域部１２に隠蔽情報Ａを印字するとともに開示領域部１３に開示情報Ｂを印字し、開示領域部１３のみを剥離紙４０から剥がし取った後、隠蔽領域部１２に印字された隠蔽情報Ａを内側にして検針票１０を折り畳み、その折り畳み端部１０ａに開示領域部１３を貼り付けて検針票１０を封緘するようにした。【選択図】図４
2008149618.tif 000002
【特許請求の範囲】
【請求項１】
ラベルと剥離紙が剥離可能に貼り合わされてなり、ラベルのみをカットした切り取り線を介して隠蔽領域部と開示領域部が分離可能に連接されていることを特徴とする検針票。
【請求項２】
ラベルと剥離紙を剥離可能に貼り合わせてラベルのみをカットした切り取り線を介して隠蔽領域部と開示領域部を分離可能に連接した検針票を使用し、隠蔽領域部に隠蔽すべき情報を印字するとともに開示領域部に開示可能な情報を印字し、開示領域部のみを剥離紙から剥がし取った後、隠蔽領域部に印字された情報を内側にして検針票を折り畳み、その折り畳み端部に開示領域部を貼り付けて検針票を封緘することを特徴とする検針情報隠蔽方法。
【発明の詳細な説明】
【技術分野】
【０００１】
本発明は、検針票とこれに印字された情報を隠蔽する検針情報隠蔽方法に関する。
【背景技術】
【０００２】
従来、電気やガス、水道などの検針システムでは、検針員が契約者の家庭を巡回してメーターの数値を読み取り、ハンディターミナルプリンタで検針票に印字した後、その検針票を契約者の家庭に配達して検針結果を通知するようにしている。例えば下記の特許文献１には検針票に好適なサーマル印字用紙が開示されているが、このような従来の検針票の多くは、ハンディターミナルプリンタで印字した後、印字された情報が丸見えの状態のままポストに投函されていた。このため、第三者が検針票に印字された情報を盗み見ることにより、例えば契約者名が女性でしかも使用量が少ない場合には一人暮らしであることが容易に判断でき、犯罪に繋がる危険性があった。
【０００３】
また、昨今は個人情報を保護する観点から、検針票に印字される住所や名前以外の検針情報、例えば使用量や請求金額などの情報については隠蔽することが求められている。ところが、仮に検針票に印字した情報をすべて隠蔽してしまうと、表から見たときに検針票の配達情報が分からなくなり、検針員が誤って別の契約者の家庭に検針票を配達する恐れがある。このような誤配が起こった場合には、契約者の個人情報が外部に流出してしまうという問題がある。
【０００４】
【特許文献１】特開２００３−５４１６６号公報
【発明の開示】
【発明が解決しようとする課題】
【０００５】
本発明は上記のような問題を解決するためになされたものであり、その目的とするところは、配達時に必要な情報は隠蔽せずに誤配を防止し、かつ、他人に知られたくない情報は隠蔽するようにして個人情報の保護を図ることにある。
【課題を解決するための手段】
【０００６】
上記の目的を達成するため、本発明による検針票は、ラベルと剥離紙が剥離可能に貼り合わされてなり、ラベルのみをカットした切り取り線を介して隠蔽領域部と開示領域部が分離可能に連接されていることを特徴とする。
【０００７】
また、上記の目的を達成するため、本発明による検針情報隠蔽方法は、ラベルと剥離紙を剥離可能に貼り合わせてラベルのみをカットした切り取り線を介して隠蔽領域部と開示領域部を分離可能に連接した検針票を使用し、隠蔽領域部に隠蔽すべき情報を印字するとともに開示領域部に開示可能な情報を印字し、開示領域部のみを剥離紙から剥がし取った後、隠蔽領域部に印字された情報を内側にして検針票を折り畳み、その折り畳み端部に開示領域部を貼り付けて検針票を封緘することを特徴とする。
【発明の効果】
【０００８】
本発明によれば、検針票から剥がし取った開示領域部を封緘ラベルとして活用することにより、隠蔽領域部を隠した状態で配達できるので、隠蔽すべき情報が外部に漏れることを防止して個人情報の保護を図ることができる。また、封緘ラベルとして使用した開示領域部は表に見えるようになっているので、配達に必要な情報を確認することができ、検針票を誤って別の契約者の家庭に配達するといった誤配を防止することもできる。
【発明を実施するための最良の形態】
【０００９】
以下、本発明の実施の形態について、図面を参照しながら説明する。
【００１０】
図１は本発明の検針票をハンディターミナルプリンタ用のラベルシートで作成した例を示す図である。
【００１１】
図１に示すように、本実施形態の検針票１０は、ハンディターミナルプリンタで印字可能なラベルシート２０を用いて作成されており、このラベルシート２０は帯状のラベル３０と帯状の剥離紙４０を剥離可能に貼り合わせて構成されている。ラベルシート２０の長手方向には所定間隔おきに複数の切り取りミシン目２１，２１，…が設定されており、この切り取りミシン目２１を介して複数枚の検針票１０，１０，…が分離可能に連接されている。
【００１２】
検針票１０を連接したラベルシート２０は、ハンディターミナルプリンタにセットするため、ラベル３０を表側にしてロール状に巻き取られた形態になっている。また、ラベルシート２０の剥離紙４０側には検針票１０，１０，…単位でタイミングマーク４３が印刷されており、ハンディターミナルプリンタはこのタイミングマーク４３を検知してラベルシート２０の紙送り量を制御し、検針票１０に印字する際の位置決めを行う。なお、ラベルシート２０の形態はロール状に限らず、例えば山折りと谷折りを交互に繰り返してジグザグに折り畳んだ形態であってもよい。
【００１３】
図２はラベルシートの断面図である。
【００１４】
図２に示すように、本実施形態ではラベルシート２０を構成するラベル３０にサーマルラベルを用いており、ラベル３０はラベル基材３１とサーマル層３２と粘着層３３とから構成されている。ラベル基材３１の表面には樹脂バインダ中に無色のロイコ染料（電子供与体）と酸性物質（電子受容体）を固体微粒子として分散させたサーマル層３２が設けられており、サーマル式のハンディターミナルプリンタで加熱することによりサーマル層３２が発色して所定事項が印字されるようになっている。また、ラベル基材３１の裏面には粘着剤を塗布した粘着層３３が設けられている。粘着剤の種類は特に限定されないが、封緘した後で開封することを考慮すると、再剥離タイプや再剥離再貼付タイプのものが好ましい。
【００１５】
これに対し、ラベルシート２０を構成する剥離紙４０は基材４１と剥離層４２とから構成されている。基材４１の表面にはシリコーン系剥離剤を塗布した剥離層４２が設けられており、そして、剥離層４２に粘着層３３を対向させて重ね合わせることにより、両者の境界面でラベル３０と剥離紙４０が剥離可能に貼り合わされている。
【００１６】
図３は検針票の構成を示す拡大図である。
【００１７】
図３に示すように、検針票１０には、ラベル３０の表面から剥離紙４０まで到達するようにラベル３０のみをカットした切り取り線（本実施形態ではハーフカット）１１が幅方向に沿って設けられている。そして、検針票１０はこのハーフカットを介して隠蔽領域部１２と開示領域部１３の２つの領域部に区画されており、この２つの領域部はハーフカットによって剥離紙４０を残して分離されるようになっている。なお、切り取り線１１は２つの領域部を分離できるものであればハーフカットに限らずミシン目であってもよい。
【００１８】
隠蔽領域部１２は、検針票１０に印字する検針情報のうち隠蔽すべき情報（例えば契約者名、使用量、請求金額など）を印字するための領域であり、これらの情報が印字される印字欄がサーマル層３２の上に予め印刷されている。一方、開示領域部１３は検針情報のうち開示可能な情報（例えば住所や契約者番号など）を印字するための領域であり、これらの情報が印字される印字欄が同じくサーマル層３２の上に予め印刷されている。
【００１９】
隠蔽領域部１２と開示領域部１３の面積比は印字する情報量に応じて適宜変更すればよいが、少なくとも開示領域部１３の長さＬが隠蔽領域部１２の幅Ｗまたは隠蔽領域部１２の長さＬ１よりも短く設定されていることが好ましい。その理由は、後述するように隠蔽領域部１２を折り畳んだ後、その折り畳み端部を封緘するときに開示領域部１３を貼り付けやすくするためである。
【００２０】
図４は検針票の使用方法を示す説明図である。
【００２１】
まず、図４（ａ）に示すように、検針員は契約者の家庭を巡回して検針を行い、ハンディターミナルプリンタを使用して契約者名、使用量、請求金額などの隠蔽情報Ａを検針票１０の隠蔽領域部１２に印字するとともに、住所や契約者番号などの開示情報Ｂを開示領域部１３に印字する。ここで、図示したように切り取り線１１を切断して隠蔽領域部１２と開示領域部１３を切り離し、検針票１０から開示領域部１３のみを剥がし取る。
【００２２】
次に、図４（ｂ）に示すように、隠蔽領域部１２に印字されている隠蔽情報Ａを内側にし、検針票１０をその中心位置で谷折りして折り畳む。折り畳みの向きは図示したような縦に限らず横であってもよい。このように検針票１０を二つ折りすることによって、隠蔽領域部１２に印字された隠蔽情報Ａが隠蔽される。
【００２３】
最後に、図４（ｃ）に示すように、先ほど剥がし取った開示領域部１３を半分に折り曲げて検針票１０の折り畳み端部１０ａに貼り付ける。開示領域部１３の裏面には粘着層３３が露出しているので、この粘着層３３によって検針票１０の裏面に貼り付けることができる。これにより、検針票１０が封緘され、隠蔽領域部１２に印字されている隠蔽情報Ａを外部から読み取れない状態にして配達することができる。なお、検針票１０を受け取った契約者は、開示領域部１３を剥がすかあるいは中央部で切断することにより、検針票１０を開封して隠蔽領域部１２に印字されている隠蔽情報Ａを確認すればよい。
【００２４】
このように、本発明によれば検針票１０から剥がし取った開示領域部１３を封緘ラベルとして活用することにより、隠蔽領域部１２を隠した状態で配達できる。したがって、契約者名、使用量、請求金額などの他人に知られたくない情報が外部に漏れることがなく、個人情報の保護を図ることができる。また、封緘ラベルとして使用した開示領域部１３が表に見えるようになっているので、住所などの配達に必要な開示情報Ｂを確認することができ、検針票１０を誤って別の契約者の家庭に配達するといった誤配を防止することができる。なお、開示領域部１３を剥がした後、剥離紙４０が全面的に残るので、ゴミも発生しない。
【図面の簡単な説明】
【００２５】
【図１】本発明の検針票をハンディターミナルプリンタ用のラベルシートで作成した例を示す図で、（ａ）はラベルシートを表側から見た外観図、（ｂ）はラベルシートを裏側から見た外観図である。
【図２】図１のラベルシートのＡ−Ａ線断面図である。
【図３】検針票の構成を示す拡大図である。
【図４】検針票の使用方法を示す図で、（ａ）は検針票の開示領域部を剥がすときの状態、（ｂ）は検針票を折り畳むときの状態、（ｃ）は折り畳んだ検針票を封緘したときの状態を示す説明図である。
【符号の説明】
【００２６】
１０  検針票
１１  切り取り線
１２  隠蔽領域部
１３  開示領域部
２０  ラベルシート
２１  切り取りミシン目
３０  ラベル
３１  ラベル基材
３２  サーマル層
３３  粘着層
４０  剥離紙
４１  基材
４２  剥離層
４３  タイミングマーク
【図１】
2008149618.tif 000003
【図２】
2008149618.tif 000004
【図３】
2008149618.tif 000005
【図４】
2008149618.tif 000006